Podtech/llm-jp-corpus-v4-ja_patent huggingface dataset:
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
複数の色の色基準を示すための色票装置であって、
前記複数の色に対応する波長領域の色光を射出する複数の第１発光部を備え、
前記第１発光部は、
射出面を有する筐体と、
前記筐体内で前記射出面に対して対向配置され、色光を発する単色光源と、
前記筐体内で前記射出面以外の内壁面上に形成された反射シートと、
前記単色光源と前記射出面との間で射出面に対して対向配置され、前記単色光源から発せられた色光を遮蔽する遮蔽板と
を有し、
各第１発光部から射出される色光の波長領域が、互いに異なる色に対応している
色票装置。
【請求項２】
各第１発光部から射出される色光の前記射出面内での輝度ばらつきが、５％以下である
請求項１に記載の色票装置。
【請求項３】
前記筐体の前記射出面上に、前記色光を拡散する拡散板を備えた
請求項１または請求項２に記載の色票装置。
【請求項４】
各第１発光部から射出される色光をそれぞれのスペクトル幅を狭めつつ透過させる波長選択フィルタを備えた
請求項１ないし請求項３のいずれか１項に記載の色票装置。
【請求項５】
前記複数の色として、少なくとも、赤（Ｒ）、緑（Ｇ）、青（Ｂ）、シアン（Ｃ）、マゼンダ（Ｍ）および黄色（Ｙ）を含む
請求項１ないし請求項４のいずれか１項に記載の色票装置。
【請求項６】
前記単色光源が、単色発光ダイオードである
請求項１ないし請求項５のいずれか１項に記載の色票装置。
【請求項７】
同一の色に対応する波長領域において複数の輝度レベルの階調光を射出する複数の第２発光部をさらに備え、
前記第２発光部は、
前記筐体と、
前記筐体内で前記射出面に対して対向配置され、前記階調光を発する光源と、
前記反射シートと、
前記光源と前記射出面との間で射出面に対して対向配置され、前記光源から発せられた階調光を遮蔽する遮蔽板と、
前記光源から発せられた階調光の輝度レベルを調整するための輝度調整フィルタと
を有し、
各第２発光部から射出される階調光の輝度レベルが、互いに異なっている
請求項１ないし請求項６のいずれか１項に記載の色票装置。
【請求項８】
前記輝度調整フィルタの厚みが、前記第２発光部ごとに互いに異なっている
請求項７に記載の色票装置。
【請求項９】
前記輝度調整フィルタが複数層の単位フィルタにより構成され、
前記単位フィルタの層数が、前記第２発光部ごとに互いに異なっている
請求項７に記載の色票装置。
【手続補正２】
【補正対象書類名】明細書
【補正対象項目名】００１０
【補正方法】変更
【補正の内容】
【００１０】
本発明の色票装置は、複数の色の色基準を示すためのものであって、これら複数の色に対応する波長領域の色光を射出する複数の第１発光部を備えたものである。ここで、各第１発光部は、射出面を有する筐体と、この筐体内で射出面に対して対向配置され、色光を発する単色光源と、筐体内で射出面以外の内壁面上に形成された反射シートと、単色光源と射出面との間で射出面に対して対向配置され、単色光源から発せられた色光を遮蔽する遮蔽板とを有している。また、各第１発光部から射出される色光の波長領域は、互いに異なる色に対応している。
【手続補正３】
【補正対象書類名】明細書
【補正対象項目名】００１１
【補正方法】変更
【補正の内容】
【００１１】
本発明の色票装置では、各第１発光部において、単色光源から発せられた色光は、遮蔽板により反射および拡散されたのち、射出面以外の内壁面で反射シートにより反射され、射出面から射出する。すなわち、遮蔽板が設けられていない従来とは異なり、色光が拡散されつつ射出面から射出する。また、各第１発光部から射出される色光の波長領域が互いに異なる色に対応しているため、上記複数の色のうちの一の色に対応する波長領域の色光を射出させる際に、従来とは異なり、複数の単色光源のうちの対応する色光を発する単色光源だけが点灯する。
【手続補正４】
【補正対象書類名】明細書
【補正対象項目名】００２２
【補正方法】変更
【補正の内容】
【００２２】
各ライトボックス２１から射出される色光の波長領域は、例えば図３（Ａ）に示した色度図（ｕ'−ｘ'色度図）や、図４に示した発光スペクトル特性から分かるように、互いに異なる色基準の色に対応したものとなっている。また、図３（Ａ）から分かるように、各色光の色度点は、一部を除き、ｓＲＧＢ色域３０ｓの色域外に位置している。すなわち、例えば図３（Ｂ）に示したように、従来の色票装置のライトボックスから射出される各色光の色度点の位置（全ての色度点がｓＲＧＢ色域３０ｓの色域内に位置している）とは異なり、そのほとんどがｓＲＧＢ色域３０ｓの色域外に位置している。これにより、色票装置２全体として、従来よりも射出される色光の色域が広くなっている。なお、図３（Ａ），図３（Ｂ）において、符号３０Ｃで示した色域は、ＣＩＥ（Commission Internationale de l'Eclairage）色域を表している。
【手続補正５】
【補正対象書類名】明細書
【補正対象項目名】００２３
【補正方法】変更
【補正の内容】
【００２３】
各ライトボックス２１では、例えば図５および図６に示したように、矩形状（長方形または正方形）の端面を有する筐体２１０内に、単色ＬＥＤ（単色光源）２１１および遮蔽板２１２が収容された構成となっている。単色ＬＥＤ２１１は、筐体２１０内の一端面（ここでは、端面Ｓ０）側において、後述する射出面Ｓ１に対向配置されている。また、筐体２１０の射出面Ｓ１（各色光が射出する端面であり、端面Ｓ０と対向している）上には、拡散板２１３が一様に形成されている一方、筐体２１０内の射出面Ｓ１以外の内壁面上には、反射シート２１４が一様に形成されている。
【手続補正６】
【補正対象書類名】明細書
【補正対象項目名】００２６
【補正方法】変更
【補正の内容】
【００２６】
拡散板２１３は、射出面Ｓ１へ到達した色光を拡散して射出させるためのものであり、例えばポリカーボネートなどの材料により構成される。この拡散板２１３の厚みは、３〜５ｍｍ程度である。これにより、色光が拡散されて各ライトボックス２１から射出されるため、均一光となる。
【手続補正７】
【補正対象書類名】明細書
【補正対象項目名】００４３
【補正方法】変更
【補正の内容】
【００４３】
ここで、図１１は、具体的な実施例および比較例に係る射出光（色光）Ｌout21，Ｌout102の輝度ばらつきの度合い（ΔＥ＊ａｂ）を評価する際の射出光Ｌout21，Ｌout102の輝度測定方法の一例を表したものである。具体的には、図１１（Ａ）に示したように、ライトボックス２１，１０２の射出面Ｓ１，Ｓ１０１から射出される色光Ｌout21，Ｌout102をカメラ１２１により受光する（測色する）と共に、射出面Ｓ１，Ｓ１０１における測色ポイントは、図１１（Ｂ）に示したような５点とした。また、表１は、実施例および比較例に係る各色光のΔＥ＊ａｂの値およびそれらの平均値（各色光のΔＥ＊ａｂの平均値）を表したものである。
【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
流体を輸送する配管の内部に付着した付着物による配管の詰まり状況を診断するための配管詰まり診断方法であって、配管の診断個所の温度を変化させ、それによる当該配管外面温度の過渡的変化を温度センサで観測することによって、当該配管の詰まり状況を診断することを特徴とする配管詰まり診断方法。
【請求項２】
当該配管内の流体の温度を変化させることにより、配管の診断個所の温度を変化させ、それによる当該配管外面温度の過渡的変化を温度センサで観測することによって、当該配管の詰まり状況を診断することを特徴とする請求項１に記載の配管詰まり診断方法。
【請求項３】
当該配管に輸送流体が流れるのを一時的に停止して、当該配管に前記輸送流体と温度の異なる診断用流体を流すことにより、当該配管内の流体の温度を変化させることを特徴とする請求項２に記載の配管詰まり診断方法。
【請求項４】
配管の診断個所の上流側において、当該配管を外部から一時的に加熱または冷却することにより、当該配管内の流体の温度を変化させることを特徴とする請求項２に記載の配管詰まり診断方法。
【請求項５】
配管の診断個所を外部から一時的に加熱または冷却することにより、配管の診断個所の温度を変化させ、それによる当該配管外面温度の過渡的変化を温度センサで観測することによって、当該配管の詰まり状況を診断することを特徴とする請求項１に記載の配管詰まり診断方法。
【請求項６】
前記温度センサは赤外線カメラであることを特徴とする請求項１〜５のいずれかに記載の配管詰まり診断方法。
【請求項７】
前記温度センサは熱電対であることを特徴とする請求項１〜５のいずれかに記載の配管詰まり診断方法。
【請求項８】
流体を輸送する配管の内部に付着した付着物による配管の詰まり状況を診断するための配管詰まり診断装置であって、配管の診断個所の温度を変化させる温度変化手段と、該温度変化手段によって生じた当該配管外面温度の過渡的変化を観測する温度センサと、該温度センサの観測結果に基づいて当該配管の詰まり状況を診断する診断手段とを備えていることを特徴とする配管詰まり診断装置。
【手続補正２】
【補正対象書類名】明細書
【補正対象項目名】発明の名称
【補正方法】変更
【補正の内容】
【発明の名称】配管詰まり診断方法および装置
【手続補正３】
【補正対象書類名】明細書
【補正対象項目名】０００１
【補正方法】変更
【補正の内容】
【０００１】
本発明は、スラリー輸送ライン等における配管の詰まり状況を診断するための配管詰まり診断方法および装置に関するものである。
【手続補正４】
【補正対象書類名】明細書
【補正対象項目名】０００９
【補正方法】変更
【補正の内容】
【０００９】
本発明は、上記のような事情に鑑みてなされたものであり、スラリー輸送ライン等における配管の詰まり状況を容易に把握することができる配管詰まり診断方法および装置を提供することを目的とするものである。
【手続補正５】
【補正対象書類名】明細書
【補正対象項目名】００１９
【補正方法】変更
【補正の内容】
【００１９】
［７］前記温度センサは熱電対であることを特徴とする前記［１］〜［５］のいずれかに記載の配管詰まり診断方法。
［８］流体を輸送する配管の内部に付着した付着物による配管の詰まり状況を診断するための配管詰まり診断装置であって、配管の診断個所の温度を変化させる温度変化手段と、該温度変化手段によって生じた当該配管外面温度の過渡的変化を観測する温度センサと、該温度センサの観測結果に基づいて当該配管の詰まり状況を診断する診断手段とを備えていることを特徴とする配管詰まり診断装置。
【手続補正書】
【提出日】平成22年10月14日(2010.10.14)
【手続補正１】
【補正対象書類名】特許請求の範囲
【補正対象項目名】全文
【補正方法】変更
【補正の内容】
【特許請求の範囲】
【請求項１】
高分子物質からなる基剤と、該基剤に保持された目的物質とを有し、針状又は糸状の形状を有し、皮膚に挿入されることにより目的物質を皮膚から吸収させる経皮吸収製剤であって、
該高分子物質はタンパク質、多糖類、ポリビニルアルコール、カルボキシビニルポリマー、及びポリアクリル酸ナトリウムからなる群より選ばれた少なくとも１つの物質であり、水溶性かつ生体内溶解性、及び曳糸性を有する物質である、
経皮吸収製剤。
【請求項２】
前記高分子物質、水及び目的物質を少なくとも含む糊状物を調製する工程、及び該糊状物を針状又は糸状に成形する工程、を包含する方法により製造される請求項１に記載の経皮吸収製剤。
【請求項３】
５０℃を超える温度に曝されることなく製造される請求項１又は２に記載の経皮吸収製剤。
【請求項４】
前記糊状物の調製に使用される高分子物質と水の割合が、質量／体積比で０．６５〜２．１２ｇ／ｍｌである請求項２又は３に記載の経皮吸収製剤。
【請求項５】
前記成形は、針状又は糸状の穴を有する鋳型に前記糊状物を充填し、乾燥後に取り出すことにより行われる請求項２〜４のいずれか一項に記載の経皮吸収製剤。
【請求項６】
略円錐形の形状を有し、押圧部の直径が０．１〜５００μｍ及び長さが０．５〜１５００μｍである請求項１〜５のいずれか一項に記載の経皮吸収製剤。
【請求項７】
前記高分子物質は、血清アルブミン、血清α−酸性糖タンパク質、コンドロイチン硫酸ナトリウム、デキストリン、ヒドロキシプロピルセルロース、血清アルブミンとヒドロキシプロピルセルロースとの混合物、ゼラチンとデキストリンとの混合物、グリコーゲン、カルボキシビニルポリマー、デキストランとヒアルロン酸との混合物、プルランとヒアルロン酸との混合物、及びキトサンからなる群より選ばれた少なくとも１つの物質である請求項１〜６のいずれか一項に記載の経皮吸収製剤。
【請求項８】
タンパク質、多糖類、ポリビニルアルコール、カルボキシビニルポリマー、及びポリアクリル酸ナトリウムからなる群より選ばれた少なくとも１つの物質であり、水溶性かつ生体内溶解性、及び曳糸性を有する物質である高分子物質、水及び目的物質を少なくとも含む糊状物を調製する工程、及び
該糊状物を針状又は糸状に成形する工程、
を包含する、高分子物質からなる基剤と、該基剤に保持された目的物質とを有し、針状又は糸状の形状を有し、皮膚に挿入されることにより目的物質を皮膚から吸収させる経皮吸収製剤の製造方法。
【請求項９】
５０℃以下の温度の下で行われる請求項８に記載の経皮吸収製剤の製造方法。
【請求項１０】
前記糊状物の調製に使用される高分子物質と水の割合が、質量／体積比で０．３〜２．１２ｇ／ｍｌである請求項８又は９に記載の経皮吸収製剤の製造方法。
【請求項１１】
前記成形は、針状又は糸状の穴を有する鋳型に前記糊状物を充填し、乾燥後に取り出すことにより行われる請求項８〜１０のいずれか一項に記載の経皮吸収製剤の製造方法。
【請求項１２】
前記経皮吸収製剤は略円錐形の形状を有し、押圧部の直径が０．１〜５００μｍ及び長さが０．５〜１５００μｍである請求項８〜１１のいずれか一項に記載の経皮吸収製剤の製造方法。
【請求項１３】
前記高分子物質は、血清アルブミン、血清α−酸性糖タンパク質、コンドロイチン硫酸ナトリウム、デキストリン、ヒドロキシプロピルセルロース、血清アルブミンとヒドロキシプロピルセルロースとの混合物、ゼラチンとデキストリンとの混合物、グリコーゲン、カルボキシビニルポリマー、デキストランとヒアルロン酸との混合物、プルランとヒアルロン酸との混合物、及びキトサンからなる群より選ばれた少なくとも１つの物質である請求項８〜１２のいずれか一項に記載の経皮吸収製剤の製造方法。
【請求項１４】
シート状の支持体の少なくとも一方の面に請求項１〜７のいずれか一項に記載の経皮吸収製剤が１又は２個以上保持され、皮膚に押し当てられることにより前記皮膚吸収製剤が皮膚に挿入される経皮吸収製剤保持シート。
【手続補正書】
【提出日】平成22年7月13日(2010.7.13)
【手続補正１】
【補正対象書類名】明細書
【補正対象項目名】０００５
【補正方法】変更
【補正の内容】
【０００５】
請求項１記載の発明は、シリンダブロックとシリンダヘッドとを備え、前記シリンダヘッドには、燃焼室に開口する排気ポートと、前記排気ポートに排気浄化用の２次空気を導く２次空気通路とが設けられた内燃機関において、前記２次空気通路は、前記シリンダヘッドの側壁に開口する入口と、前記排気ポートに開口する出口と有し、前記２次空気通路は、シリンダ軸線方向で、前記燃焼室に対して前記排気ポートよりも遠い位置にあると共に、前記２次空気通路と前記排気ポートとの間にオイル通路が設けられる内燃機関である。
請求項２記載の発明は、請求項１記載の内燃機関において、前記シリンダヘッドには、前記シリンダヘッドを冷却するための冷却流体が流れる冷却流体通路が、前記燃焼室と前記２次空気通路との間に設けられるものである。
請求項３記載の発明は、請求項１または２記載の内燃機関において、前記シリンダヘッドは、前記排気ポートを開閉する排気弁を駆動する動弁装置が収容される動弁室を形成し、前記オイル通路は、前記動弁室内で前記シリンダヘッドの側壁と前記２次空気通路が設けられた隆起部とにより形成される凹部に集まるオイルを、前記シリンダヘッドに設けられたオイル戻り通路に導くものである。
請求項４記載の発明は、請求項３記載の内燃機関において、前記シリンダヘッドは鋳造により形成された鋳造品であり、前記シリンダヘッドには、前記動弁装置のカム軸を駆動する無端伝動帯が収容される伝動室が形成され、前記オイル戻り通路は前記伝動室であり、前記オイル通路は前記伝動室を形成する中子により形成された孔で構成されるものである。
請求項５記載の発明は、請求項１から４のいずれか１項記載の内燃機関において、前記２次空気通路は、前記入口を有する上流通路と、前記出口を有する下流通路と、前記上流通路に対して前記下流通路が屈曲して接続する屈曲部とから構成され、前記上流通路および前記屈曲部は、シリンダ軸線方向で前記オイル通路に対して前記燃焼室とは反対側に位置し、前記屈曲部は、シリンダ軸線方向から見て、前記オイル通路と重なる位置または前記入口から延びている前記上流通路において前記オイル通路を越えた部分にあるものである。
請求項６記載の発明は、請求項５記載の内燃機関において、前記上流通路は、前記シリンダヘッドの前記側壁からの機械加工により形成された直線状の孔であり、前記下流通路は、前記燃焼室を通じて前記排気ポートの壁面からの機械加工により形成された直線状の孔であるものである。
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
外周面に軸ねじ溝を形成したねじ軸と、該ねじ軸の外側に位置し前記軸ねじ溝と対向するナットねじ溝を有するボールナットとを備え、前記ねじ軸と前記ボールナットとの相対回転に伴って前記両ねじ溝間のボール負荷転動路をボールを転動移動させ、前記ボール負荷転動路の内径よりも大きい内径を有し前記ボールを循環させるボール循環路を設け、前記ボール負荷転動路と前記ボール循環路との間を２個所において連通し内部にボール案内通路を有する循環部材を設けたボールねじ装置において、前記ボールナットと前記循環部材の接合部において、前記ボールナットには、前記ナットねじ溝の径を外側に拡大する緩衝部を設け、前記循環部材のボール案内通路との間に段差が生じないようにしたことを特徴とするボールねじ装置。
【請求項２】
前記緩衝部は前記ナットねじ溝から傾斜して径を外側に拡大する傾斜部と、該傾斜部に連接し前記循環部材のボール案内通路に滑らかに繋がる平坦部とから成ることを特徴とする請求項１に記載のボールねじ装置。
【請求項３】
前記ボール循環路は前記ボールナットに形成した請求項１又は２に記載のボールねじ装置。
【請求項４】
前記ボールナットの両端部に切欠部を設け、これらの切欠部に前記循環部材を組込んだことを特徴とする請求項１〜３の何れか1つの請求項に記載のボールねじ装置。
【請求項５】
前記ボール循環路を有するリターンチューブの両端に、前記循環部材を一体的に設けたことを特徴とする請求項１〜４の何れか1つの請求項に記載のボールねじ装置。
【手続補正２】
【補正対象書類名】明細書
【補正対象項目名】００１７
【補正方法】変更
【補正の内容】
【００１７】
本発明の目的は、上述の問題点を解消し、ボールをより円滑に循環させ、振動、騒音を抑えることができ、かつ通路に摩耗等が発生することを防止し、耐久性が高いボールねじ装置を提供することにある。
【手続補正３】
【補正対象書類名】明細書
【補正対象項目名】００１９
【補正方法】変更
【補正の内容】
【００１９】
本発明に係るボールねじ装置によれば、ボールナットと循環部材との接合部のボールナット側に、ボールの衝撃を和らげる緩衝部を形成することで、接合部に摩耗等が発生しなくなる。
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
オレフィン生成炉以外の反応炉であって、反応管を含む反応炉において、
前記反応管は、実質的に螺旋状の経路に追従する中心線（４０）を有し、その螺旋の振幅（Ａ）は前記反応管の内径（Ｄ１）の半分以下であり、前記反応管の管腔に沿う視線を与えることを特徴とする反応炉。
【請求項２】
請求項１の反応炉において、前記反応炉は化学又は石油化学用途のためのものである反応炉。
【請求項３】
請求項１又は２の反応炉において、前記反応炉は精製プロセスのための予熱炉である反応炉。
【請求項４】
請求項１又は２の反応炉において、前記反応炉はエチルベンゼンからスチレンを生成するためのものである反応炉。
【請求項５】
請求項１の反応炉において、前記反応炉は焼却炉又は廃棄物処理炉である反応炉。
【請求項６】
請求項１乃至５の何れか一項に記載の反応炉において、前記反応管は実質的に円形の断面と外径（ＤＥ）とを有すると共に、前記反応管は仮想包絡線（２０）内に包含され、この仮想包絡線は長さ方向に延伸して前記反応管の掃引幅に等しい幅（Ｗ）を有し、この包絡線の幅は、前記反応管により占められる側方空間を規定し、且つ前記反応管の外径（ＤＥ）よりも大きい反応炉。
【請求項７】
請求項６の反応炉において、前記包絡線は中央縦軸（３０）を有し、この中央縦軸の周りで前記反応管の前記螺旋中心線（４０）が螺旋経路に追従すると共に、前記中央縦軸が直線である炉。
【請求項８】
請求項６の反応炉において、前記包絡線は中央縦軸（３０）を有し、この中央縦軸の周りで前記反応管の前記螺旋中心線（４０）が螺旋経路に追従すると共に、前記中央縦軸が曲線である反応炉。
【請求項９】
請求項１乃至８の何れか一項に記載の反応炉において、前記螺旋の前記振幅（Ａ）は前記反応管の前記内径（Ｄ１）の０．４倍以下である反応炉。
【請求項１０】
請求項１乃至９の何れか一項に記載の反応炉において、前記螺旋の角度は５５°以下である反応炉。
【請求項１１】
精製プロセスのための予熱炉であって、導管を含む予熱炉において、
前記導管は、実質的に螺旋状の経路に追従する中心線（４０）を有し、その螺旋の振幅（Ａ）は前記導管の内径（Ｄ１）の半分以下であり、前記導管の管腔に沿う視線を与えることを特徴とする予熱炉。
【請求項１２】
導管を含む精製プロセスのための焼却炉又は廃棄物処理炉であって
前記導管は、実質的に螺旋状の経路に追従する中心線（４０）を有し、その螺旋の振幅（Ａ）は前記導管の内径（Ｄ１）の半分以下であり、前記導管の管腔に沿う視線を与えることを特徴とする焼却炉又は廃棄物処理炉。
【請求項１３】
請求項１乃至１０の何れか一項に記載の反応炉を、精製プロセスのための予熱炉として化学又は石油化学用途に使用するか、又はエチルベンゼンからスチレンを生成するために使用するか、或いは焼却炉又は廃棄物処理炉として使用する使用方法。
【請求項１４】
請求項１１に記載の予熱炉を、精製プロセスのために使用する使用方法。
【請求項１５】
請求項１２に記載された焼却炉又は廃棄物処理炉を使用する方法。
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
ボンベ型(bombe type)の流体格納容器を固定物に固定させるための流体格納容器固定用クランプであって、
前記固定物に分離可能に固定される固定部と、前記固定部の両端から前記固定物の前方に折曲延長される一対の側部からなる固定ブラケットと、
前記固定ブラケットの内側に設けられるが、前記固定部と離隔される距離が可変され、前記流体格納容器と接触して加圧する加圧部材と、
前記固定ブラケットの固定部と両側部の一部を含む上端に前記固定ブラケットの変形を防ぐために設けられる補強部材と、
前記固定ブラケットの側部と結合する位置が可変するように前記側部とそれぞれ結合し、離隔対向する端部に係止具と係止輪がそれぞれ設けられて締結される一対の締結バンドを含み、
前記加圧部材は、前記固定ブラケットの両側部と結合する結合部と、前記結合部の先端から鋭角に折曲される接触部と、前記接触部に折曲延長される中間部に形成され、前記接触部は中間に位置した前記中間部を中心に両側に折曲されて前記結合部まで連結されていることを特徴とする流体格納容器固定用クランプ。
【請求項２】
前記固定ブラケットの側部には、前記固定物の前方に水平に配列された多数のネジ穴またはスロットが形成され、前記加圧部材の結合部には、ネジ穴が形成され、前記加圧部材のネジ穴を前記固定ブラケットのネジ穴やスロットに整合してネジ結合することにより、結合位置が可変されることを特徴とする請求項１に記載の流体格納容器固定用クランプ。
【請求項３】
前記締結バンドは、
前記固定ブラケットの側部に可変位置で結合する長さ調節部と、
ヒンジを介して前記長さ調節部に回動可能に結合する締結部とを含み、
前記係止具と係止輪は、前記締結部の対向する端部にそれぞれ設けられることを特徴とする請求項１又は２に記載の流体格納容器固定用クランプ。
【請求項４】
前記長さ調節部には、前記固定物の前方に水平に配列された多数のネジ穴またはスロットが形成され、前記固定ブラケットの側部には、ネジ穴が形成され、前記固定ブラケットのネジ穴を前記長さ調節部のネジ穴やスロットに整合してネジ結合することにより結合位置が可変されることを特徴とする請求項３に記載の流体格納容器固定用クランプ。
【請求項５】
ボンベ型の流体格納容器を固定させる流体格納容器固定装置において、
底板と、
前記底板の縁に垂直に設けられる垂直板と、
前記流体格納容器の重さを測定するように前記底板上に設けられる秤と、
前記垂直板に前面に突出形成されるように固定され、前記流体格納容器を固定させる流体格納容器固定用クランプを含み、
前記流体格納容器固定用クランプは請求項１に記載された流体格納容器固定用クランプであることを特徴とする流体格納容器固定装置。
【手続補正２】
【補正対象書類名】明細書
【補正対象項目名】０００４
【補正方法】変更
【補正の内容】
【０００４】
〔適用例１〕本発明の流体格納容器固定用クランプは、ボンベ型(bombe type)の流体格納容器を固定物に固定させるための流体格納容器固定用クランプであって、前記固定物に分離可能に固定される固定部と、前記固定部の両端から前記固定物の前方に折曲延長される一対の側部からなる固定ブラケットと、前記固定ブラケットの内側に設けられるが、前記固定部と離隔される距離が可変され、前記流体格納容器と接触して加圧する加圧部材と、前記固定ブラケットの固定部と両側部の一部を含む上端に前記固定ブラケットの変形を防ぐために設けられる補強部材と、前記固定ブラケットの側部と結合する位置が可変するように前記側部とそれぞれ結合し、離隔対向する端部に係止具と係止輪がそれぞれ設けられて締結される一対の締結バンドを含み、前記加圧部材は、前記固定ブラケットの両側部と結合する結合部と、前記結合部の先端から鋭角に折曲される接触部と、前記接触部に折曲延長される中間部に形成され、前記接触部は中間に位置した前記中間部を中心に両側に折曲されて前記結合部まで連結されていることを特徴としている。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
〔適用例２〕前記固定ブラケットの側部には、前記固定物の前方に水平に配列された多数のネジ穴またはスロットが形成され、前記加圧部材の結合部には、ネジ穴が形成され、前記加圧部材のネジ穴を前記固定ブラケットのネジ穴やスロットに整合してネジ結合することにより、結合位置が可変されることを特徴とする適用例１に記載の流体格納容器固定用クランプ。
【手続補正６】
【補正対象書類名】明細書
【補正対象項目名】０００８
【補正方法】変更
【補正の内容】
【０００８】
〔適用例３〕また前記締結バンドは、前記固定ブラケットの側部に可変位置で結合する長さ調節部と、ヒンジを介して前記長さ調節部に回動可能に結合する締結部とを含み、前記係止具と係止輪は、前記締結部の対向する端部にそれぞれ設けられることを特徴とする適用例１又は２に記載の流体格納容器固定用クランプ。
【手続補正７】
【補正対象書類名】明細書
【補正対象項目名】０００９
【補正方法】変更
【補正の内容】
【０００９】
〔適用例４〕前記長さ調節部には、前記固定物の前方に水平に配列された多数のネジ穴またはスロットが形成され、前記固定ブラケットの側部には、ネジ穴が形成され、前記固定ブラケットのネジ穴を前記長さ調節部のネジ穴やスロットに整合してネジ結合することにより結合位置が可変されることを特徴とする適用例３に記載の流体格納容器固定用クランプ。
【手続補正８】
【補正対象書類名】明細書
【補正対象項目名】００１０
【補正方法】変更
【補正の内容】
【００１０】
〔適用例５〕ボンベ型の流体格納容器を固定させる流体格納容器固定装置において、底板と、前記底板の縁に垂直に設けられる垂直板と、前記流体格納容器の重さを測定するように前記底板上に設けられる秤と、前記垂直板に前面に突出形成されるように固定され、前記流体格納容器を固定させる流体格納容器固定用クランプを含み、前記流体格納容器固定用クランプは請求項１に記載された流体格納容器固定用クランプであることを特徴とする流体格納容器固定装置。
【手続補正９】
【補正対象書類名】明細書
【補正対象項目名】００１１
【補正方法】削除
【補正の内容】
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
開閉バルブを備えた流体格納容器から排出される流量を制御する流量制御装置であって、
回転アクチュエータと、
前記回転アクチュエータの回転軸の回転角による信号を発生する回転角検出ユニットと、
前記回転アクチュエータの回転軸に軸結合する駆動ギアと、該駆動ギアにギア結合する被動ギアを備えたギアボックスと、
前記被動ギアの中心に軸結合して回転し、前記流体格納容器の開閉バルブの開閉バルブつまみと分離可能に結合するバルブ開閉アームと、
前記流体格納容器に残存する流体の量による感知信号を受信して基準回転角を算出し、前記回転角検出ユニットの信号を入力して実際回転角を検出し、前記基準回転角と実際回転角の誤差を補正するように前記回転アクチュエータを駆動される制御ユニットと、
前記流体格納容器に残存する流体の量による前記格納容器の重さと流体の圧力を感知し、前記制御ユニットに前記感知信号を転送する感知センターと、
前記ギアボックスの下部に設けられ、前記被動ギアと軸連結し、その外周面に回転角度を示す目盛りが表示された回転角表示ユニットと、を含むことを特徴とする流量制御装置。
【請求項２】
前記回転角検出ユニットは、前記回転アクチュエータの上部に設けられ、
前記回転アクチュエータの回転軸を中心に既設定された角度でずらして配置された扇形の複数の板状接触部材と、
前記板状接触部材の各々に接触する時、回転角による信号を前記制御ユニットに転送する複数のリミットスイッチと、を含むことを特徴とする請求項１に記載の流量制御装置。
【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
断面略半円形状の凹部を有する第１ハウジング部と、この第１ハウジング部の凹部とで断面略円形の支持孔を形成する、断面略半円形状の凹部を有する第２ハウジング部とからなるハウジングと、
このハウジングの支持孔内に密接して配設される二つ一組の二つ割り外輪と、両二つ割り外輪の各内側面を転動し得るように配設される複数個のころと、各ころを円周方向略等間隔に配置するように保持する二つ一組の二つ割り保持器とからなり、シャフトが内嵌される二つ割り転がり軸受と
を備えており、前記二つ割り外輪の円周方向端部が、軸方向に沿う線に対し傾く傾斜部及びこの傾斜部と反対方向に傾く傾斜部とを含む凹凸形状を呈している軸受構造であって、
前記ころは、クラウニングが施された略樽型形状を呈しており、 
前記二つ割り外輪の凹凸形状における凸部の頂点が、当該二つ割り外輪の内周面を転走するころの転走面よりも軸方向外側に位置するように前記クラウニング量が設定されており、且つ
前記凸部の頂点に対向するころ周面の、前記二つ割り外輪の内周面からの距離が、当該頂点における両二つ割り外輪の径方向のずれ量よりも大きくなるように、前記クラウニング量が設定されていることを特徴とする軸受構造。 
【請求項２】
前記二つ割り外輪の凹凸形状における凸部の頂点が、前記ころの両端面よりも軸方向外側に位置する請求項１に記載の軸受構造。
【手続補正２】
【補正対象書類名】明細書
【補正対象項目名】００１１
【補正方法】変更
【補正の内容】
【００１１】
本発明の軸受構造は、断面略半円形状の凹部を有する第１ハウジング部と、この第１ハウジング部の凹部とで断面略円形の支持孔を形成する、断面略半円形状の凹部を有する第２ハウジング部とからなるハウジングと、
このハウジングの支持孔内に密接して配設される二つ一組の二つ割り外輪と、両二つ割り外輪の各内側面を転動し得るように配設される複数個のころと、各ころを円周方向略等間隔に配置するように保持する二つ一組の二つ割り保持器とからなり、シャフトが内嵌される二つ割り転がり軸受と
を備えており、前記二つ割り外輪の円周方向端部が、軸方向に沿う線に対し傾く傾斜部及びこの傾斜部と反対方向に傾く傾斜部とを含む凹凸形状を呈している軸受構造であって、
前記ころは、クラウニングが施された略樽型形状を呈しており、 
前記二つ割り外輪の凹凸形状における凸部の頂点が、当該二つ割り外輪の内周面を転走するころの転走面よりも軸方向外側に位置するように前記クラウニング量が設定されており、且つ
前記凸部の頂点に対向するころ周面の、前記二つ割り外輪の内周面からの距離が、当該頂点における両二つ割り外輪の径方向のずれ量よりも大きくなるように、前記クラウニング量が設定されていることを特徴としている。
【手続補正３】
【補正対象書類名】明細書
【補正対象項目名】００１３
【補正方法】変更
【補正の内容】
【００１３】
また、前記凸部の頂点に対向するころ周面の、前記二つ割り外輪の内周面からの距離が、当該頂点における両二つ割り外輪の径方向のずれ量よりも大きくなるように、前記クラウニング量が設定されている。この構成によれば、前記凸部の頂点上をころが通過する際に、ころの周面が当該頂点に接触しないので、ころの周面と凹凸形状における凸部の頂点との衝突に起因する騒音や振動の発生を確実に防止することができる。
【手続補正書】
【提出日】平成22年7月28日(2010.7.28)
【手続補正１】
【補正対象書類名】明細書
【補正対象項目名】００５３
【補正方法】変更
【補正の内容】
【００５３】
本発明による封孔処理で形成される緻密層の厚さは０．５μｍ以上２μｍ以下である。
処理対象物は表面にアノード酸化被膜が形成されるのであれば、特に限定されない。例えば、全部がアルミニウム材料で構成されたものを用いてもよいし、アルミニウム材料以外の材料で構成された芯材の表面に、アルミニウム材料の薄膜が形成されたものを用いてもよい。
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数の始動口と、該複数の始動口のうち第１始動口に遊技球が入球したことに基づいて遊技者に所定の利益を付与する利益付与状態に制御するか否かを判定する第１利益付与判定手段と、該第１利益付与判定手段による判定がなされたことに基づいて複数種類の第１図柄情報の変動表示を開始して所定期間経過後に所定の表示結果を導出表示可能な第１演出表示手段と、前記複数の始動口のうち第２始動口に遊技球が入球したことに基づいて遊技者に所定の利益を付与する利益付与状態に制御するか否かを判定する第２利益付与判定手段と、該第２利益付与判定手段による判定がなされたことに基づいて複数種類の第２図柄情報の変動表示を開始して所定期間経過後に所定の表示結果を導出表示可能な第２演出表示手段と、を備え、前記第１利益付与判定手段により前記利益付与状態に制御すると判定されたことに基づいて前記第１演出表示手段に特定の表示結果を導出表示し、前記第２利益付与判定手段により前記利益付与状態に制御すると判定されたことに基づいて前記第２演出表示手段に特定の表示結果を導出表示する遊技機であって、
前記第１利益付与判定手段による判定がなされたことに基づいて前記第１演出表示手段を制御して前記第１図柄情報の変動表示を実行する第１表示制御手段と、
該第１表示制御手段によって前記第１図柄情報の変動表示を開始するとき、前記利益付与状態に制御される確率が高いことを示唆する特別演出を実行するか否かを判定する第１特別演出判定手段と、
前記第２利益付与判定手段による判定がなされたことに基づいて前記第２演出表示手段を制御して前記第２図柄情報の変動表示を実行する第２表示制御手段と、
該第２表示制御手段によって前記第２図柄情報の変動表示を開始するとき、前記利益付与状態に制御される確率が高いことを示唆する特別演出を実行するか否かを判定する第２特別演出判定手段と、を備え、
前記第１特別演出判定手段は、前記第１利益付与判定手段によって前記利益付与状態に制御すると判定されたときに前記利益付与状態に制御しないと判定されたときよりも高い割合で前記特別演出を実行すると判定し、
前記第２特別演出判定手段は、前記第２利益付与判定手段によって前記利益付与状態に制御すると判定されたときに前記利益付与状態に制御しないと判定されたときよりも高い割合で前記特別演出を実行すると判定し、
前記第１特別演出判定手段によって前記特別演出を実行すると判定されたとき及び前記第２特別演出判定手段によって前記特別演出を実行すると判定されたとき、前記第１表示制御手段は前記第２演出表示手段に前記第１図柄情報を表示制御し、前記第２表示制御手段は前記第１演出表示制御手段に前記第２図柄情報を表示制御することを特徴とする遊技機。
【請求項２】
複数種類の画像情報を表示可能な表示領域に前記第１演出表示手段と前記第２演出表示手段とを隣接して有する表示装置を備えることを特徴とする請求項１記載の遊技機。
【請求項３】
前記第１演出表示手段を有する表示装置と前記第２演出表示手段を有する表示装置とを個々に備えることを特徴とする請求項１記載の遊技機。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域へ遊技球を発射するための発射装置と、前記遊技領域に配設され、該遊技領域を特定入球口が設けられる第１の遊技領域とその他の第２の遊技領域とに区画形成する入賞装置と、前記第２の遊技領域に打ち込まれた遊技球の前記第１の遊技領域内への進入の確率が高くなるように動作可能な可動片と、該可動片を所定の動作態様で駆動制御する可動片制御手段と、前記第２の遊技領域に配設される始動口と、該始動口に遊技球が受け入れられたことを検出する始動口検出手段と、該始動口検出手段による検出に基づいて複数種類の当選種についての抽選処理を行う当選種抽選手段と、を備え、前記当選種抽選手段の抽選結果が特別遊技の実行契機となる当りであるとき、または、前記第２の遊技領域に打ち込まれた遊技球が前記可動片による動作を通じて前記第１の遊技領域内に進入し、該進入した遊技球が前記特定入球口に受け入れられたとき、遊技者に有利な特別遊技を行う遊技機であって、
前記始動口検出手段による検出に基づいて所定の表示部に表示される特別図柄を所定の時間だけ変動表示制御する変動表示制御手段と、
前記当選種抽選手段の抽選結果に基づいて前記特別図柄の変動表示停止時における表示態様を決定する停止時表示態様決定手段と、
前記特別遊技の遊技態様または／および前記補助遊技における前記可動片の動作態様が前記特別図柄の変動表示停止時における表示態様に関連付けされるかたちで複数種類記憶された遊技態様記憶手段と、
前記停止時表示態様決定手段により決定された前記特別図柄の変動表示停止時における表示態様に基づいて前記遊技態様記憶手段から前記特別遊技の遊技態様または／および前記補助遊技における前記可動片の動作態様を決定する遊技態様決定手段と、
前記当選種抽選手段の抽選結果が前記特別遊技の実行契機となる当りであるとき、前記特別遊技を行うにあたり、前記遊技態様決定手段により決定された特別遊技の遊技態様に制御する第１の特別遊技制御手段と、
前記当選種抽選手段の抽選結果が前記可動片の動作契機となる当りであるとき、前記可動片の動作を伴う補助遊技を行うにあたり、前記遊技態様決定手段により決定された可動片の動作態様に制御する補助遊技制御手段と、
前記補助遊技において前記第１の遊技領域内に進入した遊技球が前記特定入球口に受け入れられることを条件に、前記特別遊技を行うにあたり、前記遊技態様決定手段により決定された特別遊技の遊技態様に制御する第２の特別遊技制御手段と、を備えることを特徴とする遊技機。
【請求項２】
前記始動口への遊技球の入球率を可変とする入球率可変手段と、
前記特別遊技の終了後に当該遊技機の遊技状態を、前記入球率可変手段によって前記始動口への入球率が高められる高入球率状態に設定する高入球率状態設定手段と、をさらに備え、
前記遊技態様記憶手段には、前記特別遊技の終了後の前記高入球率状態の種別も前記特別図柄の変動表示停止時における表示態様に関連付けされるかたちで複数種類記憶されており、
前記遊技態様決定手段は、前記停止時表示態様決定手段により決定された前記特別図柄の変動表示停止時における表示態様に基づいて、前記高入球率状態設定手段により設定される前記高入球率状態の種別を前記遊技態様記憶手段から決定することを特徴とする請求項１記載の遊技機。
【請求項３】
前記補助遊技決定手段に決定された前記可動片の動作態様が前記第１の遊技領域内に遊技球の進入する割合の高い動作態様であるほど、該進入した遊技球が前記特定入球口に受け入れられる割合が高いことを特徴とする請求項１または請求項２に記載の遊技機。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設される始動口と、該始動口に遊技球が受け入れられたことを検出する始動口検出手段と、該始動口検出手段による検出に基づいて複数種類の当選種についての抽選処理を行う当選種抽選手段と、を備え、前記当選種抽選手段の抽選結果が特別遊技の実行契機となる当りであるとき、遊技者に有利な特別遊技を行う遊技機であって、
前記遊技領域に配設され、該遊技領域を特定入球口が設けられる第１の遊技領域とその他の前記始動口が設けられる第２の遊技領域とに区画形成する入賞装置と、
前記第２の遊技領域に打ち込まれた遊技球の前記第１の遊技領域内への進入の確率が高くなるように動作可能な可動片と、
前記可動片を所定の動作態様で駆動制御する可動片制御手段と、
前記当選種抽選手段の抽選結果に基づいて前記特別遊技の遊技態様を複数種類の遊技態様から決定する特別遊技決定手段と、
前記当選種抽選手段の抽選結果が前記特別遊技の実行契機となる当りであるとき、前記特別遊技を行うにあたり、前記遊技態様決定手段により決定された特別遊技の遊技態様に制御する第１の特別遊技制御手段と、
前記当選種抽選手段の抽選結果が前記可動片の動作契機となる当りであることに基づいて前記可動片の動作を伴う補助遊技における前記可動片の動作態様を複数種類の動作態様から決定する補助遊技決定手段と、
前記当選種抽選手段の抽選結果が前記可動片の動作契機となる当りであるとき、前記補助遊技を行うにあたり、前記補助遊技決定手段により決定された可動片の動作態様に制御する補助遊技制御手段と、
前記補助遊技において前記第１の遊技領域内に進入した遊技球が前記特定入球口に受け入れられることを条件に、前記特別遊技を行うにあたり、前記特別遊技決定手段により決定された特別遊技の遊技態様に制御する第２の特別遊技制御手段と、を備え、
前記特別遊技決定手段は、前記当選種抽選手段の抽選結果が前記可動片の動作契機となる当りであるとき、前記補助遊技が行われるよりも前のタイミングで、前記特別遊技が行われるか否かに関わらず前記特別遊技の遊技態様を決定することを特徴とする遊技機。
【請求項２】
前記当選種抽選手段は、該抽選結果が前記特別遊技の実行契機となる当りとはならないときに極めて高い割合で、前記可動片の動作契機となる当りとなることを特徴とする請求項１記載の遊技機。
【請求項３】
前記始動口への遊技球の入球率を可変とする入球率可変手段と、
前記特別遊技の終了後に当該遊技機の遊技状態を、前記入球率可変手段によって前記始動口への入球率が高められる高入球率状態に設定する高入球率状態設定手段と、
前記当選種抽選手段の抽選結果に基づいて前記高入球率状態設定手段により設定される前記高入球率状態の種別を複数種類の種別から決定する高入球率状態決定手段と、をさらに備えることを特徴とする請求項１または請求項２に記載の遊技機。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設され、該遊技領域を特定入球口が設けられる第１の遊技領域とその他の第２の遊技領域とに区画形成する枠状の装飾フレームと、該装飾フレームの上部に形成され、前記第２の遊技領域に打ち込まれた遊技球の前記第１の遊技領域内への進入の確率が高くなるように動作可能な可動片と、を備え、前記第２の遊技領域に打ち込まれた遊技球が前記可動片による動作を通じて前記第１の遊技領域内に進入し、該進入した遊技球が前記特定入球口に受け入れられたとき、遊技者にとって有利な特別遊技を行う遊技機であって、
前記第２の遊技領域に配設される始動口と、
前記始動口に遊技球が受け入れられたことを検出する始動口検出手段と、
前記始動口検出手段による検出に基づいて前記可動片を駆動制御する可動片制御手段と、
前記装飾フレームの下部後方に形成され、前記第１の遊技領域の一部として前記特定入球口に受け入れられるか否かの遊技球が転動可能な特定遊技領域と、
前記装飾フレームの上部から内周面に沿ってその一部が配設され、前記特定遊技領域に向けて遊技球の進行方向が多様に変化可能な経路で遊技球を誘導する誘導通路と、
前記特定遊技領域上にて前記特定入球口へと向かう遊技球に作用可能に設けられる作用部材と、
前記可動片制御手段による前記可動片の駆動制御に伴って予め設定された駆動態様で前記作用部材を駆動制御する作用部材制御手段と、を備えることを特徴とする遊技機。
【請求項２】
前記誘導通路は、通過する遊技球を視認可能とする通路部材からなることを特徴とする請求項１記載の遊技機。
【請求項３】
前記遊技盤に形成されて前記装飾フレームに囲まれた開口部と、
該開口部の後方に配設され、遊技状態に基づいた演出表示が行われる表示手段と、をさらに備え、
前記特定遊技領域は、前記表示手段の下方に配置されていることを特徴とする請求項１または請求項２に記載の遊技機。
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた複数の始動口と、該複数の始動口のうち第１始動口に遊技球が入球したことに基づいて遊技者に所定の利益を付与する利益付与状態に制御するか否かを判定する第１利益付与判定手段と、前記複数の始動口のうち第２始動口に遊技球が入球したことに基づいて遊技者に所定の利益を付与する利益付与状態に制御するか否かを判定する第２利益付与判定手段と、前記第１利益付与判定手段による判定がなされたことに基づいて複数種類の画像情報を表示可能な表示領域で複数種類の第１図柄情報の変動表示を開始して所定期間経過後に所定の表示結果を導出表示するとともに前記第２利益付与判定手段による判定がなされたことに基づいて複数種類の画像情報を表示可能な表示領域で複数種類の第２図柄情報の変動表示を開始して所定期間経過後に所定の表示結果を導出表示する表示手段と、を備え、前記第１利益付与判定手段により前記利益付与状態に制御すると判定されたことに基づいて前記表示領域に特定の表示結果を導出表示し、前記第２利益付与判定手段により前記利益付与状態に制御すると判定されたことに基づいて前記表示領域に特定の表示結果を導出表示する遊技機であって、
前記第１利益付与判定手段による判定がなされたことに基づいて前記表示手段を制御して前記第１図柄情報の変動表示を実行する第１表示制御手段と、
前記第２利益付与判定手段による判定がなされたことに基づいて前記表示手段を制御して前記第２図柄情報の変動表示を実行する第２表示制御手段と、
前記第１表示制御手段によって前記第１図柄情報の変動表示を実行しているか否かを判定する第１変動表示判定手段と、
前記第２表示制御手段によって前記第２図柄情報の変動表示を実行しているか否かを判定する第２変動表示判定手段と、を備え、
前記第１利益付与判定手段による判定がなされたときに前記第２変動表示判定手段によって前記第２図柄情報の変動表示を実行していないと判定されたことに基づいて前記第１表示制御手段によって前記第１図柄情報を視認することが容易な態様で前記第１図柄情報を表示制御し、前記第２表示制御手段によって前記第２図柄情報を視認することが困難な態様で前記第２図柄情報を表示制御し、
前記第２利益付与判定手段による判定がなされたときに前記第１変動表示判定手段によって前記第１図柄情報の変動表示を実行していないと判定されたことに基づいて前記第１表示制御手段によって前記第１図柄情報を視認することが困難な態様で前記第１図柄情報を表示制御し、前記第２表示制御手段によって前記第２図柄情報を視認することが容易な態様で前記第２図柄情報を表示制御することを特徴とする遊技機。
【請求項２】
前記第１利益付与判定手段の判定がなされたときに前記第２変動表示判定手段によって前記第２図柄情報の変動表示を実行していると判定されたこと、及び前記第２利益付与判定手段の判定がなされたときに前記第１変動表示判定手段によって前記第１図柄情報の変動表示を実行していると判定されたことに基づいて前記第１表示制御手段によって前記第１図柄情報を視認することが容易な態様で前記第１図柄情報を表示制御するとともに前記第２表示制御手段によって前記第２図柄情報を視認することが容易な態様で前記第２図柄情報を表示制御することを特徴とする請求項１記載の遊技機。
【請求項３】
前記第１表示制御手段によって前記第１図柄情報を視認することが容易な態様で前記第１図柄情報を表示制御するとともに前記第２表示制御手段によって前記第２図柄情報を視認することが容易な態様で前記第２図柄情報を表示制御しているとき、前記第１変動表示判定手段によって前記第１図柄情報の変動表示を実行していないと判定されたことに基づいて前記第１表示制御手段によって前記第１図柄情報を視認することが困難な態様で表示制御し、前記第２表示制御手段によって前記第２図柄情報を視認することが容易な態様で表示制御し、
前記第２変動表示判定手段によって前記第２図柄情報の変動表示を実行していないと判定されたことに基づいて前記第１表示制御手段によって前記第１図柄情報を視認することが容易な態様で表示制御し、前記第２表示制御手段によって前記第２図柄情報を視認することが困難な態様で表示制御することを特徴とする請求項２記載の遊技機。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
遊技領域が形成され、該遊技領域に向けて打ち込まれた遊技球が流下可能な遊技盤と、前記遊技領域へ遊技球を発射するための発射装置と、前記遊技領域に配設され、該遊技領域を特定入球口が設けられる第１の遊技領域とその他の第２の遊技領域とに区画形成する入賞装置と、前記第２の遊技領域に打ち込まれた遊技球の前記第１の遊技領域内への進入の確率が高くなるように動作可能な可動片と、該可動片を所定の動作態様で駆動制御する可動片制御手段と、を備え、前記第２の遊技領域に打ち込まれた遊技球が前記可動片による動作を通じて前記第１の遊技領域内に進入し、該進入した遊技球が前記特定入球口に受け入れられたとき、遊技者に有利な特別遊技を行う遊技機であって、
前記第２の遊技領域に配設される始動口と、
前記始動口に遊技球が受け入れられたことを検出する始動口検出手段と、
前記始動口検出手段による検出に基づいて複数種類の当選種についての抽選処理を行う当選種抽選手段と、
前記当選種抽選手段の抽選結果に基づいて前記特別遊技の遊技態様を複数種類の遊技態様から決定する特別遊技決定手段と、
前記当選種抽選手段の抽選結果が前記特別遊技の実行契機となる当りであるとき、前記特別遊技を行うにあたり、前記特別遊技決定手段により決定された特別遊技の遊技態様に制御する第１の特別遊技制御手段と、
前記可動片の動作を伴う補助遊技において前記特定入球口に遊技球が受け入れられることを条件に、前記特別遊技を行うにあたり、前記特別遊技決定手段により決定された特別遊技の遊技態様に制御する第２の特別遊技制御手段と、
前記当選種抽選手段の抽選結果が前記可動片の動作契機となる当りであることに基づいて前記補助遊技における前記可動片の動作態様を複数種類の動作態様から決定する補助遊技決定手段と、
前記当選種抽選手段の抽選結果が前記可動片の動作契機となる当りであるとき、前記補助遊技を行うにあたり、前記補助遊技決定手段により決定された可動片の動作態様に制御する補助遊技制御手段と、を備えることを特徴とする遊技機。
【請求項２】
前記特別遊技決定手段は、前記当選種抽選手段の抽選結果が前記可動片の動作契機となる当りであるとき、前記補助遊技決定手段による前記可動片の動作態様を決定するタイミングで、前記特別遊技が行われるか否かに関わらず前記特別遊技の遊技態様を決定することを特徴とする請求項１記載の遊技機。
【請求項３】
前記補助遊技決定手段に決定された前記可動片の動作態様が前記第１の遊技領域内に遊技球の進入する割合の高い動作態様であるほど、該進入した遊技球が前記特定入球口に受け入れられる割合が高いことを特徴とする請求項１または請求項２に記載の遊技機。